(57)【要約】      （修正有）【課題】高速アップリンクパケットアクセスのための多重キャリアを独立電力制御する、ワイヤレス通信方法を提供する。【解決手段】方法は、一組の高速パケットアクセス信号からの２つ以上のキャリアに独立電力制御を適用する。方法は、一組の高速パケットアクセス信号に対する電力レベルを決定するために２つ以上のキャリアにわたり電力をモニタする。方法は、一組の高速パケットアクセス信号に対して決定された電力レベルを考慮して独立電力制御のうちの少なくとも１つを自動的に調整する。【選択図】図１
2015122760.tif 000002
【特許請求の範囲】
【請求項１】
一組のパケットアクセス信号からの２つ以上のキャリアに独立電力制御を適用すること、
前記一組のパケットアクセス信号に対する電力レベルを決定するため前記２つ以上のキャリアにわたって電力をモニタすること、前記一組のパケットアクセス信号に対する前記電力レベルを考慮して前記独立電力制御のうちの少なくとも１つを自動的に調整すること、
を含む、ワイヤレス通信方法。
【請求項２】
前記独立電力制御は、アップ又はダウン制御として増加的に制御され、但しアップは電力の増加を表し、ダウンは電力の減少を表す、請求項１の方法。
【請求項３】
前記２つ以上のキャリアにわたって電力を静的に分割することを更に含む、請求項１の方法。
【請求項４】
前記独立電力制御は高速アップリンクパケットアクセスネットワーク（ＨＳＵＰＡ）、高速ダウンリンクパケットアクセスネットワーク（ＨＳＤＰＡ）、強化データチャネル（Ｅ−ＤＣＨ）、強化専用物理データチャネル（Ｅ  ＤＰＤＣＨ）又は、高速専用物理データチャネル（ＨＳ−ＤＰＤＣＨ）に従って適用される、請求項１の方法。
【請求項５】
逐次的方法で前記２つ以上のキャリアを順序付けること、前記２つ以上のキャリアの間で電力レベルを逐次制御することを更に含む、請求項１の方法。
【請求項６】
逐次的方法で前記２つ以上のキャリアを増減することを更に含む、請求項５の方法。
【請求項７】
チャネル品質パラメータ、許可、現在データレート、アンカーキャリアの状態又は非アンカーキャリアの状態を含む優先度に従って前記２つ以上のキャリアを順序付けることを更に含む、請求項５の方法。
【請求項８】
前記２つ以上のキャリア間で電力レベルを制御する前にダウンコマンドを適用することを更に含む、請求項５の方法。
【請求項９】
アップコマンドを有する前記２つ以上のキャリア間で電力を計算し、配分することを更に含む、請求項８の方法。
【請求項１０】
前記優先度に従って前記２つ以上のキャリアに逐次電力を充填することを更に含む、請求項７の方法。
【請求項１１】
並列方法で前記２つ以上のキャリアにわたって電力を計算すること、前記２つ以上のキャリアにわたって電力レベルを合同して制御することを更に含む、請求項１の方法。
【請求項１２】
並列方法で前記２つ以上のキャリアにわたって前記電力レベルを増減することを更に含む、請求項１１の方法。
【請求項１３】
前記２つ以上のキャリア間で電力レベルを制御する前にダウンコマンドを適用することを更に含む、請求項１１の方法。
【請求項１４】
アップコマンドを有する前記２つ以上のキャリアの間で電力を計算し、分配することを更に含む、請求項１１の方法。
【請求項１５】
最大データレートを計算すること、注水アルゴリズムに従って前記２つ以上のキャリアにわたり電力を分配することを更に含む、請求項１４の方法。
【請求項１６】
一組のパケットアクセス信号からの２つ以上のキャリアに独立電力制御を適用し、前記一組のパケットアクセス信号に対する電力レベルを決定するため前記２つ以上のキャリアにわたって電力を決定し、前記一組のパケットアクセス信号に対する前記電力レベルを考慮して前記独立電力制御のうちの少なくとも１つを調整するためのインストラクションを保持するメモリと、前記インストラクションを実行するプロセッサと、
を具備する通信装置。
【請求項１７】
逐次的方法で前記２つ以上のキャリアを順序付けること、前記２つ以上のキャリアの間で電力レベルを逐次制御することを更に含む、請求項１６の通信装置。
【請求項１８】
逐次的方法で前記２つ以上のキャリアを増減することを更に含む、請求項１７の通信装置。
【請求項１９】
チャネル品質パラメータ、許可、現在データレート、アンカーキャリアの状態又は非アンカーキャリアの状態を含む優先度に従って前記２つ以上のキャリアを順序付けることを更に含む、請求項１７の通信装置。
【請求項２０】
前記優先度に従って前記２つ以上のキャリアに逐次電力を充填することを更に含む、請求項１９の通信装置。
【請求項２１】
並列方法で前記２つ以上のキャリアにわたって電力を計算すること、前記２つ以上のキャリアにわたって電力レベルを合同して制御することを更に含む、請求項１６の通信装置。
【請求項２２】
並列方法で前記２つ以上のキャリアにわたって前記電力レベルを増減することを更に含む、請求項２１の通信装置。
【請求項２３】
最大データレートを計算すること、注水アルゴリズムに従って前記２つ以上のキャリアにわたり電力を分配することを更に含む、請求項２２の通信装置。
【請求項２４】
一組のパケットアクセス信号からの２つ以上のキャリアを制御する手段と、
前記一組のパケットアクセス信号に対する電力レベルを決定する手段と、前記一組のパケットアクセス信号に対する前記電力レベルを考慮して独立方法でキャリア電力を調整する手段と、
を具備する通信装置
【請求項２５】
逐次的方法で前記２つ以上のキャリアを順序付けるコンポーネントを更に含み、前記２つ以上のキャリアの間で電力レベルを逐次制御する、請求項２４の通信装置。
【請求項２６】
並列方法で前記２つ以上のキャリアにわたって電力を決定するコンポーネントを更に含み、前記２つ以上のキャリアにわたって電力レベルを合同して制御する、請求項２４の通信装置。
【請求項２７】
コンピュータに一組のパケットアクセス信号から２つ以上のキャリアに対する電力を制御させるためのコードと、
前記一組のパケットアクセス信号に対して電力レベルを決定するために前記２つ以上のキャリアわたりコンピュータに電力をモニタさせるためのコードと、前記一組のパケットアクセス信号に対する電力レベルを考慮して、コンピュータに独立電力制御のうちの少なくとも１つを調整させるためのコードと、を含む、電力を制御制るためのコードを含むコンピュータ可読媒体を具備する、コンピュータプログラム製品。
【請求項２８】
逐次又は並列方法でキャリアのグループに対する電力をコンピュータに増減させるコードを更に含む、請求項２７のコンピュータプログラム製品。
【発明の詳細な説明】
【技術分野】
【０００１】
以下の説明は、一般にワイヤレス通信システム、特に高速アップリンクパケットアクセス（ＨＳＵＰＡ）のための多重キャリアの独立電力制御に関する。
【背景技術】
【０００２】
ワイヤレス通信システムは、種々形態の通信コンテンツ、例えば、音声、データ、などを提供するために広く展開されている。これらのシステムは、利用可能システム資源（例えば、帯域幅及び送信電力）を共有することによって多数のユーザとの通信をサポートできるマルチアクセスシステムであってもよい。このようなマルチアクセスシステムの例は符号分割多重アクセス（ＣＤＭＡ）システム、時分割多重アクセス（ＴＤＭＡ）システム、周波数分割多重アクセス（ＦＤＭＡ）システム、Ｅ  ＵＴＲＡを含んでいる３ＧＰＰロングタームエボリューション（ＬＴＥ）システム及び直交周波数分割多重アクセス（ＯＦＤＭＡ）システムを含む。
【０００３】
直交周波数分割多重（ＯＦＤＭ）通信システムは効果的に全体のシステム帯域幅を、周波数サブチャネル、トーン又は周波数ビンと呼ぶことができる多数の（ＮＦ）サブキャリアに分割する。ＯＦＤＭシステムおいては、送信データ（即ち、情報ビット）は符号化ビットを生成するため特定の符号化方式によって最初に符号化され、符号化ビットは更にマルチビットシンボルにグループ化され、それから変調シンボルにマップされる。各変調シンボルは、データ送信のために使用される特定の変調方式（例えば、Ｍ−ＰＳＫ又はＭ−ＱＡＭ）によって定義される信号点の位置に対応する。各周波数サブキャリアの帯域幅に依存していてもよい各時間間隔で、変調シンボルは、ＮＦ周波数サブキャリアに送信されてもよい。このように、ＯＦＤＭは周波数選択的フェーディングによって生じ、システム帯域幅にわたる異なる減衰量によって特徴づけられるシンボル間干渉（ＩＳＩ）に対処するために使用することができる。
【０００４】
通常、無線多重アクセス通信システムは、順方向及び逆方向リンクでの送信を介して１つ以上の基地局と通信する複数のワイヤレス端末に対する通信を同時にサポートすることができる。順方向リンク（即ちダウンリンク）は基地局から端末までの通信リンクに関し、逆方向リンク（即ちアップリンク）は端末から基地局までの通信リンクに関する。この通信リンクは、単入力単出力、他入力単出力又は他入力多出力（ＭＩＭＯ）システムを介して確立されてもよい。
【０００５】
無線システムに伴う問題は、高速アップリンクパケットアクセス（ＨＳＵＰＡ）のための多重キャリア制御に関する。一般に、ＨＳＵＰＡはパケットスケジューラを使用するが、ユーザ設備又は機器がデータを送る許可を要求することができ、スケジューラが多くの機器がいつどのようにそうすることを許可されるかを決定する場合に要求許可原理（request-grant principle）で動作する。通信要求は、送信バッファの状態及び装置での待ち行列及びその利用可能電力マージンに関するデータを含む。送信のこのスケジュールされたモードに加えて、適用可能な標準は非スケジュール化を示した、装置から自己初期化送信モードも可能にする。しかしながら、送信電力及びマルチキャリア制御に関して、前のシステムは、普遍的に全てのキャリアに適用された電力制御を介してそのような制御を達成することができるだけであった。キャリアにわたる非独立制御のタイプは、キャリア間の電力を調整すること及び装置及び／又はチャネル間の干渉を制御することを困難にした。さらに、非独立制御に加えて、条件が影響するとき、マルチキャリア制御システムはキャリア間の電力配分を適切に増減する能力を有しなかった。制御独立性及びスケーリングのこのような欠如は、所望のサービスの品質を果たすことを非常にむずかしくした。
【発明の概要】
【０００６】
特許法§１１９の下の優先権の請求の範囲
本出願は、”USER EQUIPMENT POWER CONTROL WITH MULTIPLE CARRIERS”と名称づけられ、２００９年２月９日に出願された米国仮特許出願Ｎｏ．６１／１５０，９４２の利益を請求し、その全体が参照によってここに組み込まれる。
【０００７】
以下は、請求された要旨の幾つかの態様の基本的理解を提供するために簡略した概要を提示する。この概要は、広範囲な概要でなくて、主要／重要な要素（key/critical elements）を確認すること又は請求された要旨の範囲を詳細に説明することを意図していない。その唯一の目的は、後に提供されるより詳細な説明の前置きとして簡略化形式で幾つかの概念を提供することにある。
【０００８】
システム及び方法は、高速パケットアクセスネットワークのための独立方法の多数の無線キャリアにわたり電力設定を制御するために提供される。一態様では、無線キャリアのための電力制御方法が提供される。独立閉ループ制御がマルチキャリアセットの１つ以上のキャリアに適用することができる。本方法は多数のキャリアにわたり電源投入及び電源遮断コマンドに応答すること及び電源投入及び電源遮断に応答して少なくとも２つの無線キャリアにわたる許容電力配分を分割することを含む。別の態様では、本方法は優先度に従って逐次的方法でキャリアチャネルをランク付けすること及びランク付けに従ってチャネルに電力を割り当てることを含む。一つの実例では、ランク付けは信号品質パラメータから基づくことができる。さらにもう一つの態様では、本方法は並列方法でキャリアチャネルのグループにわたり電力特性を解析すること及びグループの特性に従ってチャネルに電力を割り当てることを含む。動的ランク付け及び電力解析は時間と共に評価され、評価又はモニタリングに基づいて電力をランク付けされ又は割当てられる場合に適用できる。
【０００９】
前述の関連した目標の達成に向けて、特定の図示する態様は、以下の説明及び添付の図面と関連してここに説明されている。しかしながら、これらの態様は請求項に記載された要旨の原則が採用され、請求項に記載れた要旨が全てのそのような態様及びそれらの等価物を含むことを意図している種々の方法の若干を示している。他の利点及び新規特徴は図面と関連して考慮されるときに以下の詳細な説明から明らかになる。
【図面の簡単な説明】
【００１０】
【図１】無線通信システムに対する独立マルチキャリア電力制御を提供するシステムの高水準のブロック図である。
【図２】無線通信システムのマルチキャリア電力制御のための電力増減（power scaling）を示す図である。
【図３】ワイヤレス通信システムのための実例電力制御方法を示す。
【図４】ワイヤレス通信システムのための実例電力制御方法を示す。
【図５】ワイヤレス通信システムのための実例電力制御方法を示す。
【図６】マルチキャリア電力制御のための実例論理的モジュールを示す。
【図７】代替マルチキャリア電力制御のための実例論理モジュールを示す。
【図８】マルチキャリア電力制御を使用する実例通信装置を示す。
【図９】多重アクセス無線通信システムを示す。
【図１０】実例通信システムを示す。
【図１１】実例通信システムを示す。
【発明を実施するための形態】
【００１１】
システム及び方法は、無線ネットワークにおいて複数のキャリアにわたって電力を制御するために提供される。一つの態様では、無線通信のための方法が提供される。本方法は、一組の高速パケットアクセス信号からの２つ以上のキャリアに独立した電力制御を適用することを含む。本方法は、一組の高速パケットアクセス信号のために電力レベルを決定するため２つ以上のキャリアにわたり電力をモニタすることを含む。また、本方法は、一組の高速パケットアクセス信号に対して決定された電力レベルを考慮して独立電力制御の少なくとも１つを自動的に調整することを含む。
【００１２】
ここに記載されている１つ以上の典型的な実施形態において、説明された機能はハードウェア、ソフトウェア、ファームウェア又はその任意の組合せで実施されてもよい。ソフトウェアで実施される場合、機能はコンピュータ可読媒体に１つ以上のインストラクション又はコードとして記憶され、又は送信されてもよい。コンピュータ可読媒体は、１つの場所から他の場所にコンピュータプログラムの移転を容易にするいかなる媒体も含んでいるコンピュータ記憶媒体及び通信媒体の両方を含む。記憶媒体は、コンピュータによってアクセスし得る任意の利用可能媒体であってもよい。例えば、限定されないが、この種のコンピュータ可読媒体はＲＡＭ、ＲＯＭ、ＥＥＰＲＯＭ、ＣＤ−ＲＯＭ又は他の光学ディスク記憶装置、磁気ディスク記憶装置又は他の磁気記憶装置、若しくはインストラクション又はデータ構造の形態で所望のプログラムコードを配送又は記憶するために使用でき及びコンピュータによってアクセスし得る任意の他の媒体で構成できる。また、いかなる接続も、適切にコンピュータ可読媒体と呼ばれる。例えば、ソフトウェアがウェブサイト、サーバ又は他の遠隔信号源から、同軸ケーブル、光ファイバーケーブル、ツイストペア、デジタル加入者回線（ＤＳＬ）又は赤外線、無線及びマイクロ波のようなワイヤレス技術を使用して送信されれば、そのとき、同軸ケーブル、光ファイバーケーブル、ツイストペア、ＤＳＬ又は赤外線、無線及びマイクロ波のような無線技術は媒体の定義に含まれる。ここに使用されているように、ディスク（ｄｉｓｋ）及びディスク（ｄｉｓｃ）はコンパクトディスク（ＣＤ）、レーザーディスク（登録商標）、光ディスク、デジタルバーサタイルディスク（ＤＶＤ）、フロッピー（登録商標）ディスク及びブルーレイディスクを含む。但し、ｄｉｓｋは通常ではデータを磁気的に再生し、これに対してｄｉｓｃはレーザでデータを光学的に再生する。上記の組合せも、コンピュータ可読媒体の範囲内で含まれるべきである。
【００１３】
図１を参照すると、システム１００はマルチキャリア電力制御を無線通信ネットワーク１１０に提供する。但し、閉ループ制御は多数のキャリア間の独立方法でユーザ装置の送信電力を調整するために使用される。システム１００は、（ノード、発展ノードのＢ−ｅＮＢ、サービスｅＮＢ、目標ｅＮＢ、フェムト局、ピコ局とも称される）１以上の基地局１２０を含み、それは種々の機器１３０に無線ネットワーク１１０を介して通信できるエンティティで有り得る。例えば、各機器１３０は、（端末、ユーザ装置、モバイル管理エンティティ（ＭＭＥ）又は移動装置とも称する）アクセス端末でできる。機器１３０は複数のワイヤレスキャリアにわたって電力を管理するために設けられる独立電力及び増減制御装置１４０を含めることができる。この種の制御１４０は、基地局１２０から発せられる電力増又は減コマンド１５０に応答する。例えば、１５４で、制御装置１４０によって独立して制御される種々キャリア（例えば、各キャリアは分離した閉ループ制御を有する）が発生されてもよい。
【００１４】
図示するように、基地局１２０はダウンリンク１６０を介して機器１３０（又は複数の機器）へ通信し、アップリンク１７０を介してデータを受信する。機器１３０はダウンリンクを介してデータを送信すること、アップリンクチャネルを介してデータを受信することもできるので、アップリンク及びダウンリンクのような指定は任意である。２つのコンポーネント１２０及び１３０が示されているが、２つ以上のコンポーネントがネットワーク１１０に使用し得る。但し、そのような追加のコンポーネントはここに記載されている電力制御にも適用し得る。制御１４０は一般的に高速アップリンクパケットアクセス（ＨＳＵＰＡ）に適用するけれども、この種の制御は、高速ダウンリンクパケットアクセス（ＨＳＤＰＡ）又は更に他の無線プロトコルにも適用で得きることが更に注目される。
【００１５】
一般に、制御１４０は高速パケットアクセスネットワークのための独立方法の多数の無線キャリアにわたって電力設定を調整する。１つの態様では、閉ループ制御１４０が多重キャリアセットの１つ以上のキャリアに適用し得る場合に無線キャリアのための電力制御方法が提供される。本方法は、多数のキャリアわたり電力アップ及び電力ダウンコマンド１５０に応答すること、電力アップ及び電力ダウンコマンドに応答して少なくとも２つのワイヤレスキャリアにわたって許容電力を分割することを含む。他の態様では、本方法は優先度に従ってキャリアチャネルを逐次的方法にランク付すること及びランク付けに従って電力をチャネルに配分することを含む。一実施例では、ランク付けは信号品質パラメータから基づくことができる。更にもう一つの態様では、本方法は並列方法でキャリアチャネルのグループにわたり電力特性を解析し、グループの特性に従って電力をチャネルに配分することを含む。チャネルが時間とともに評価されランク付けされ又は評価又はモニタリングに基づいて電力を配分する場合にダイナミックランク付け及び電力解析が適用できる。
【００１６】
一般的に、ルール又はポリシーはＵＥ又は機器１３０が１５０で電力制御「アップ」コマンドに従うのに十分な電力を有さないときに電力増減のために複数のキャリアによって特定されるべきである。典型的には、ＵＥ１３０は最初に能動セットのセルからの無線電力制御（ＲＰＣ）コマンドを組合わせる。コマンドが『アップ』であり、ＵＥ  １３０がそれをサポートする電力を有しない場合、電力増減が適用される。通常、他の電力がそれらの間のレートが維持されるように等しく増減される場合、及びＲＰＣが各キャリアに独立している場合に、増大され専用化された物理専用チャネル（Ｅ−ＤＰＤＣＨ）電力が最初に減少される。ＵＥ  １３０が一態様においてキャリア内のその最大送信電力を静的に分割する場合にＥ−ＤＰＤＣＨを増減するルールが適用し得る。
【００１７】
他の態様においては、欲張り充填アルゴリズム（greedy filling algorithms）は、キャリアが例えば、チャネル品質、認可、現在データレート及びアンカー又は非アンカーキャリアに依存する可能性がある優先度によってランク付けられる。通常、『アップ』コマンドを有するキャリアが少なくとも不変の送信電力を受けることができる場合にで、１５０の『ダウン』コマンドが最初に適用される。残りの電力は、計算されることができ、『アップ』コマンドを有するキャリアの間で分配されることができる。各キャリア上の送信電力は、上記の優先度によって決定される選択の余地のキャリア上の電力を満たすために順番に計算されることができる。利用できる電力は、考慮中に現在のキャリアによって使用されることができる。
【００１８】
さらにもう一つの態様では、送信電力がチャネルにわたり結合方法で計算される場合に、接合充填アルゴリズムが適用されることができる。最適化技術は、適用されることができる。１つの実施例は、注水方式（water-filling scheme）である。通常、１５０の『ダウン』コマンドは最初に適用され、『アップ』コマンドを有するキャリアは少なくとも不変の送信電力を受けられる。残りの電力は、計算され、『アップ』コマンドを有するキャリアの間で分配される。各キャリアの送信電力は、接合方法で計算される。例えば、最大データレートが目的である場合、注水技術が適用されることができる。注水アルゴリズムは、良好の状態を低下するサブチャネルに多くの電力を配分することができ、例えば、不十分に条件付けされたサブチャネルに少ない電力を割り当てる又は電力を割当てないことがある。
【００１９】
前述のように、システム１００は独立電力制御１４０を一組の高速パケットアクセス信号から２つ以上のキャリアに適用することを含むワイヤレス通信方法をサポートする。これは高速パケットの一組の高速パケットアクセス信号の電力レベルを決定するため２つ以上のキャリアにわたる電力をモニタすること及び一組も高速パケットアクセス信号に対して決定された電力レベルを考慮して独立電力制御の少なくとも１つを自動的に調整することを含む。独立電力制御は、アップ又はダウン制御１５０として増加的に制御される。但し、アップは電力の増加を表し、ダウンは電力の減少を表す。システム１００及び方法は２つ以上のキャリアにわたって電力を静的に分割することを含む。但し、独立電力制御は高速アップリンクパケットアクセスネットワーク（ＨＳＵＰＡ）、高速ダウンリンクパケットアクセスネットワーク（ＨＳＤＰＡ）、強化データチャネル（Ｅ−ＤＣＨ）、強化専用物理データチャネル（Ｅ  ＤＰＤＣＨ）、又は、高速専用物理データチャネル（ＨＳ−ＤＰＤＣＨ）に従って適用される。これは、逐次的方法及び２つ以上のキャリアを順序づけすること及び２つ以上のキャリアの間の電力レベルを逐次制御することを含む。
【００２０】
本方法は、また、チャネル品質パラメータ、許可、現在データレート、アンカーキャリアの状態又は非アンカーキャリアの状態を含む優先度に従って２つ以上のキャリアを順序付けするような逐次方法で２つ以上のキャリアを増減することを含めることができる。本方法は、また、２つ以上のキャリア間で電力レベルを制御する前にダウンコマンドを適用すること及びアップコマンドを含む２つ以上のキャリアの間で電力を計算し配分することを含む。これは優先度に従って２つ以上のキャリアに電力を逐次満たすことを含む。
【００２１】
本方法も、並行方法で２つ以上のキャリアにわたる電力を計算すること及び２つ以上のキャリアにわたる電力レベルを結合的に制御することを含む。これは、並列方法で２つ以上のキャリアにわたり電力レベルを増減すること及び２つ以上のキャリア間の電力レベルを制御する前にダウンコマンドを適用する。本方法は、また、アップコマンドを有する２つ以上のキャリアの間の電力を計算し、分配すること及び最大データレートを計算し、例えば、注水アルゴリズムに従って２つ以上のキャリアにわたり電力を分配することを含む。
【００２２】
システム１００がアクセス端末又はモバイル機器によって使用されることができ、例えば、ＳＤカード、ネットワークカード、ワイヤレスネットワークカード、（ラップトップ、デスクトップ、パーソナル携帯情報機器（ＰＤＡ）を含む）コンピュータ、携帯電話、多機能電話又はネットワークをアクセスするために利用されることができる任意の他の適切な端末のようなモジュールでできることが注目される。端末は、アクセスコンポーネント（図示せず）によってネットワークにアクセスする。１つの実施例において、端末とアクセスコンポーネントとの間の接続は実際にはワイヤレスであってもよく、アクセスコンポーネントは基地局であってもよく、モバイル機器はワイヤレス端末である。例えば、端末及び基地局は、限定されないが時分割多重アクセス（ＴＤＭＡ）、符号分割多重アクセス（ＣＤＭＡ）、周波数分割多重アクセス（ＦＤＭＡ）、直交周波数分割多重（ＯＦＤＭ）、ＦＬＡＳＨ  ＯＦＤＭ、直交周波数分割多重アクセス（ＯＦＤＭＡ）又は任意の他の適切なプロトコルも含む任意の適切な無線プロトコルによって通信できる。
【００２３】
アクセスコンポーネントは、有線ネットワーク又はワイヤレスネットワークと関連するアクセスノードでできる。そのために、例えば、アクセスコンポーネントは、ルータ、スイッチ、等でできる。アクセスコンポーネントは、他のネットワークノードと通信するため、１つ以上のインタフェース、例えば通信モジュールを含むことができる。更に、アクセスコンポーネントは、セルラー型ネットワークにおける基地局（又はワイヤレスアクセスポイント）でできる。基地局（又はワイヤレスアクセスポイント）は複数の加入者にワイヤレスサービスエリアを提供するために利用される。そのような基地局（又はワイヤレスアクセスポイント）は、１つ以上の携帯電話及び／又は他のワイヤレス端末にサービスエリアの隣接領域を提供するために配置し得る。
【００２４】
図２を参照すると、電力増減は、マルチキャリアワイヤレスシステムのために示される。この態様においては、ユーザ装置２００が示される。但し、電力増減２１０は多重キャリアセット２２０に適用される。通常、セット内のキャリアの全て（又はいくらか）が「ダウン」コマンドを受信した場合であっても、ユーザ装置２００が上述した閉ループ制御によってモニタされ、作動される決定された閾値によって決定できるように最大許容電動出力レベルを超えてしまうことは可能となる。電力閾値が超えられた場合に、電力増減２１０はマルチキャリアセット２２０の総合電力を制御するために適用できる。
【００２５】
図３−５を参照すると、実例独立電力制御方法が示される。説明の単純化のために、本方法（及びここに説明されている他の方法）は一連の作用として示され、説明されているが、１つ以上の態様によると、幾つかの作用は、異なる順序で生じ及び／又はここに示され、説明されたもの以外の他の作用と同時に生じて４もよいので、本方法は作用の順序によって限定されないことは理解され、認識されるべきである。例えば、当業者は方法が、状態図におけるように、一連の相互関係状態又は事象として選択的に表すことができることは理解され、認識されるであろう。更に、全ての図示された作用は、請求された要旨に従って方法を実施するために使用されることができるというわけでない。一般に、本方法はプロセッサインストラクション、論理的プログラム機能又はここに記載されている独立マルチキャリア電力制御装置をサポートする他の電子シーケンスとして実施されることができる。
【００２６】
図３の３１０に進むと、ＵＥ又は機器が電力制御『アップ』コマンドに従うために十分な電力を有しないとき、ルール又はポリシーが電力増減のための多数のキャリアによって特定し得る。３２０で、ＵＥ又は機器は、能動セットのセルからの無線電力制御（ＲＰＣ）コマンドを組合わせる。コマンドが『アップ』であり、ＵＥがそれをサポートする電力を有しない場合、電力増減は適用される。３３０で、他の電力間の比率が維持されるように他の電力が等しく増減される場合、及びＲＰＣが各キャリアから独立する場合に強化された専用化物理専用化チャネル（Ｅ  ＤＰＤＣＨ）電力が減少し得る。３４０で、ＵＥが、一つの態様において、多重キャリアサブセットからのキャリア間のその最大送信電力を静的に分割する場合に、Ｅ−ＤＰＤＣＨを増減するためのルールが適用し得る。
【００２７】
図４へ進むと、電力制御の逐次方法４００が、説明されている。この態様において、キャリアが優先度によって順序付けられる場合に、欲張り充填アルゴリズムが適用し得る。４１０で、１つ以上の優先パラメータが解析される。例えば、この種のパラメータは、例えば、チャネル品質、認可、現在のデータレート及びアンカー又は非アンカーキャリアに依存することができる。４２０で、４１０での解析に基づいて、個々のキャリアは優先度によって順序付けられる。４３０で、電力アップ又はダウンコマンドは、必要に応じて適用される。例えば、『ダウン』コマンドは、『アップ』コマンドを有するキャリアが少なくとも不変である電力を受けることができる場合に最初に適用し得る。残りの電力が計算されることができ、『アップ』コマンドを有するキャリア間で分配されることができる。４４０で、各キャリアの送信電力は、順番に上記の優先度によって決定される選択の余地のキャリアに電力を充填するため逐次に計算され、適用され得る。利用可能電力は、考慮中に現在のキャリアによって使用し得る。
【００２８】
図５へ進むと、送信電力がチャネルにわたる接合方法で計算される場合に、接合部充填アルゴリズムは５１０で決定されることができる。５２０で、必要に応じて電力アップ又はダウンコマンドを適用する。例えば、『ダウン』コマンドは最初に適用されることができ、『アップ』コマンドを有するキャリアは少なくとも不変の電力を受けることができる。残りの電力は、計算されることができ、『アップ』コマンドを有するキャリア間で分配されることができる。５３０で、各キャリアの送信電力は、接合方法で計算されて適用される。５４０で、任意の最適化技術が適用され得る。１つの実施例は、注水方式である。例えば、最大データレートが目的である場合、注水技術は５４０で適用されることができる。注水アルゴリズムは、良好な条件を経験するサブチャネルに多くの電力を分配ることができ、例えば、不十分な条件付きサブチャネルに対しては少ない電力を分配してもよく又は電力を分配しなくてもよい。
【００２９】
ここに説明されている技術プロセスは、種々の手段によって実施されてもよい。例えば、これらの技術は、ハードウェア、ソフトウェア又はその組合せで実行されてもよい。ハードウェア実施のために、処理ユニットは１つ以上の特定用途向け集積回路（ＡＳＩＣ）、デジタル信号プロセッサ（ＤＳＰ）、デジタル信号処理装置（ＤＳＰＤｓ）、プログラム可能な論理装置（ＰＬＤ）、フィールドプログラマブルゲートアレイ（ＦＰＧＡｓ）、プロセッサ、コントローラ、マイクロコントローラ、マイクロプロセッサ、ここに記載されている機能を実行するように設計された他の電子装置又はその組み合わせにおいて実施されてもよい。ソフトウェアについては、実施はここに記載されている機能を実行するモジュール（例えば、手順、機能、その他）を通すことができる。ソフトウェアコードは、メモリ装置に格納されてもよく、プロセッサによって実行されてもよい。
【００３０】
図６及び７を参照すると、ワイヤレス信号処理に関するシステムが提供される。システムは一連の相互関係のある機能ブロックとして表され、それはプロセッサ、ソフトウェア、ハードウェア、ファームウェア又はそれらの任意の適切な組合せにもよって実施される機能を表すことができる。
【００３１】
図６を参照すると、ワイヤレス通信システム６００が提供される。システム６００は論理モジュール６０２又は一組の高速パケットアクセス信号からの２つ以上のキャリアを制御する手段を含む。これは論理モジュール６０４又は一組の高速パケットアクセス信号に対する電力レベルを決定する手段を含む。これは、また、論理モジュール６０６又は一組の高速パケットアクセス信号に対して決定された電力レベルを考慮して、独立方法でキャリア電力を調整する手段を含む。
【００３２】
図７を参照すると、ワイヤレス通信システム７００が提供される。システム７００は、論理モジュール７０２又は一組の高速パケットアクセス信号から独立方法で２つ以上のキャリアを制御する手段を含む。これは、論理モジュール７０４又は一組の高速パケットアクセス信号に対する電力レベルをモニタする手段を含む。これは、また、論理モジュール７０６又は一組の高速パケットアクセス信号に対して決定された電力レベルを考慮して総キャリア電力を増減する手段を含む。
【００３３】
別の態様においては、通信装置が提供される。これは一組の高速パケットアクセス信号からの２つ以上のキャリアに独立電力制御を提供し、一組の高速パケットアクセス信号に対する電力レベルを決定するため２つ以上のキャリアにわたる電力を決定し、一組の高速パケットアクセス信号に対して決定された電力レベルを考慮して独立電力制御のうちの少なくとも１つを調整するインストラクションを保持するメモリ及びインストラクションを実行するプロセッサを含む。
【００３４】
他の態様においては、コンピュータプログラム製品が提供される。これは電力を制御するためのコードを含むコンピュータ読取り可能媒体を含む。コードはコンピュータに一組の高速パケットアクセス信号から２つ以上のキャリアに対する電力を制御させるためのコードと、一組の高速パケットアクセス信号に対して電力レベルを決定するために２つ以上のキャリアわたりコンピュータに電力をモニタさせるコードと、一組の高速パケットアクセス信号に対して決定された電力レベルを考慮して、コンピュータに独立電力制御のうちの少なくとも１つを調整させるためのコードを含む。
【００３５】
他の態様においては、ワイヤレス通信のための方法が提供される。これは一組の高速パケットアクセス信号から２つ以上のキャリアに対して独立電力制御をおこなうこと、一組の高速パケットアクセス信号に対して電力レベルを決定するため２つ以上のキャリアにわたり電力をモニタすること、一組の高速パケットアクセス信号に対して決定された力を考慮して独立電力制御の少なくとも１つを自動的にスケーリングすることを含む。
【００３６】
更にもう一つの態様において、通信装置が提供される。これは一組の高速パケットアクセス信号からの２つ以上のキャリアに独立電力制御を与え、一組の高速パケットアクセス信号に対して電力レベルを決定するため２つ以上のキャリア全体の電力を決定し、一組の高速パケットアクセス信号に対して決定された電力レベルを考慮して、独立電力制御をスケーリングするためのインストラクションを保持するメモリと、インストラクションを実行するプロセッサと含む。
【００３７】
更にもう一つの態様において、コンピュータプログラム製品が提供される。これは電力を制御するためのコードを含むコンピュータ読取り可能媒体を含み、コードはコンピュータに一組の高速パケットアクセス信号から２つ以上のキャリアに対する電力を制御させるためのコードと、一組の高速パケットアクセス信号に対して電力レベルを決定するために２つ以上のキャリアわたりコンピュータに電力をモニタさせるコードと、一組の高速パケットアクセス信号に対して決定された電力レベルを考慮して、コンピュータに２つ以上のキャリアに対して電力を集合的に増減させるコードとを含む。これは、また、一群のキャリアのための処理を含む。これは、逐次制御、一組のパケットアクセス信号又は一組のパケットアクセス信号、決定電力、などを含む。
【００３８】
図８は、例えば、ワイヤレス端末のようなワイヤレス通信装置でできる通信装置８００を示す。追加的に又は代わりに、通信装置８００は、有線のネットワーク内に存在できる。通信装置８００は、ワイヤレス通信端末において信号解析を実行するためのインストラクションを保持することができるメモリ８０２を含むことができる。更に、通信装置８００は、メモリ８０２の内のインストラクション及び／又は他のネットワーク機器から受信されるインストラクションを実行できるプロセッサ８０４を含んでもよく、インストラクションは通信装置８００又は関連する通信装置を構成する又は動作することに関連できる。
【００３９】
図９を参照して、多重アクセスワイアレス通信システム９００が示される。多重アクセスワイアレス通信システム９００はセル９０２、９０４及び９０６を含む多数のセルを含む。態様において、システム９００、セル９０２、９０４及び９０６は、多数のセクタを含むノードＢを含むことができる。多数のセクタはアンテナのグループによって形成され、各アンテナはセルの一部においてＵＥｓとの通信に応答可能である。例えば、セル９０２では、アンテナグループ９１２、９１４及び９１６は、各々異なるセクタに対応することができる。セル９０４において、アンテナグループ９１８、９２０及び９２２は、各々異なるセクタに対応する。セル９０６において、アンテナグループ９２４、９２６及び９２８は、各々異なるセクタに対応する。セル９０２、９０４及び９０６はいくつかのワイヤレス通信装置、例えば、各セル９０２、９０４又は９０６の１つ以上のセクタと通信できるユーザ装置又はＵＥｓを含むことができる。例えば、ＵＥｓ  ９３０及び９３２はノードＢ  ９４２と通信でき、ＵＥｓ  ９３４及び９３６はノードＢ  ９４４と通信でき、ＵＥｓ  ９３８及び９４０はノードＢ  ９４６と通信できる。
【００４０】
図１０を参照すると、１つの態様に従う多重アクセスワイアレス通信システムが示される。アクセスポイント１０００（ＡＰ）は、多数のアンテナグループを含み、１グループは１００４及び１００６を含み、他のグループは１００８及び１０１０を含み、さらなるグループは１０１２及び１０１４を含む。図１０においては、２つのアンテナだけが各アンテナグループに示されているが、より多く又はより少ないアンテナが各アンテナグループに使用されてもよい。アクセス端末１０１６（ＡＴ）はアンテナ１０１２及び１０１４が情報を順方向リンク１０２０を介してアクセス端末１０１６に送信し、逆方向リンク１０１８を介してアクセス端末１０１６から情報を受信する場合にアンテナ１０１２及び１０１４と通信する。アクセス端末１０２２はアンテナ１００６及び１００８が順方向リンク１０２６を介してアクセス端末１０２２に情報を送信し、逆方向リンク１０２４を介してアクセス端末１０２２から情報を受信する場合にアンテナ１００６及び１００８と通信する。ＦＤＤシステムにおいて、通信リンク１０１８、１０２０、１０２４及び１０２６は通信のための異なる周波数を使用することができる。例えば、順方向リンク１０２０はその後逆方向リンク１０１８によって使用される異なる周波数を使用することができる。
【００４１】
各グループのアンテナ及び／又はそれらが通信するように計画されている領域は、しばしばアクセスポイントのセクタとして参照される。アンテナグループは、各々、アクセスポイント１０００によってカバーされる領域の中で、セクタのアクセス端末へ通信するように設計されている。順方向リンク１０２０及び１０２６を介する通信において、アクセスポイント１０００の送信アンテナは、異なるアクセス端末１０１６及び１０２４のための順方向リンクの信号対雑音比を改善するためにビームフォーミングを利用する。また、そのサービスエリア全体にランダムに分散しているアクセス端末に送信するためにビームフォーミングを使用するアクセスポイントは全てのそのアクセス端末へ単一のアンテナを介して送信するアクセスポイントより隣接セルにおいてアクセス端末対する干渉を少なくさせる。アクセスポイントは、端末と通信するために使用される固定局であってもよく、また、アクセスポイント、ノードＢ又は他のいくらかの用語で呼ばれてもよい。アクセス端末は、また、アクセス端末、ユーザ装置（ＵＥ）、ワイヤレス通信機器、端末、アクセス端末又は他のいくらかの用語で呼ぶことができる。
【００４２】
図１１を参照すると、システム１１００は、（アクセスポイントとして知られている）送信システム２１０及びＭＩＭＯシステム１１００における（アクセス端末としても知られている）受信システム１１５０を示す。送信機システム１１１０では、多くのデータストリームのためのトラフィックデータがデータソース１１１２から送信（ＴＸ）データプロセッサ１１１４に提供される。各データストリームは、個別の送信アンテナを介して送信される。ＴＸデータプロセッサ１１１４は、符号化データを提供するためにそのデータストリームのために選択される特定の符号化方式に基づいて各データストリームに対してトラフィックデータをフォーマット化し、符号化し、インターリーブする。
【００４３】
データストリーム毎の符号化データは、ＯＦＤＭ技術を使用してパイロットデータと多重化されてもよい。パイロットデータは、一般的に周知の方法で処理される既知のデータパターンであって、チャネル応答を推定する受信システムで使用することができる。データストリーム毎の多重化パイロット及び符号化データは、その後、変調シンボルを提供するためにそのデータストリームのために選択される特定の変調方式（例えばＢＰＳＫ、ＱＳＰＫ、Ｍ−ＰＳＫ又はＭ−ＱＡＭ）に基づいて、変調（即ち、シンボルマップ）される。データストリーム毎のデータレート、符号化及び変調は、プロセッサ１１３０によって実行されるインストラクションによって決定されてもよい。
【００４４】
全てのデータストリームのための変調シンボルはその後ＴＸ  ＭＩＭＯプロセッサ１１２０に提供される。これは更に（例えば、ＯＦＤＭのための）変調シンボルを処理することができる。その後、ＴＸＭＩＭＯプロセッサ１１２０はＮＴ個の変調シンボルストリームをＮＴ個の送信機（ＴＭＴＲ）１１２２ａ〜１１２２ｔを提供する。特定の実施形態において、ＴＸ  ＭＩＭＯプロセッサ１１２０は、ビームフォーミング重みをデータストリームのシンボルに、及びシンボルが送信されているアンテナに適用する。
【００４５】
各送信機１１２２は、１つ以上のアナログ信号を提供するため個別のシンボルストリームを受信し、処理し、更に、ＭＩＭＯチャネルを介する送信に適する変調信号を提供するためアナログ信号を調整（例えば、増幅、フィルタ処理及びアップコンバート）する。送信機１１２２ａ〜１１２２ｔからのＮＴ個の変調信号は、その後ＮＴ個のアンテナ１１２４ａ〜１１２４ｔをそれぞれ介して送信される。
【００４６】
受信システム１１５０では、送信された変調信号がＮＲ個のアンテナ１１５２ａ〜１１５４ｒによって受信され、各アンテナ１１５２からの受信信号は個別の受信機（ＲＣＶＲ）１１５４ａ〜１１５４ｒに提供される。各受信機１１５４は個別の受信信号を調整（例えば、フィルタ処理、増幅及びダウンコンバート）し、サンプルを提供するために調整信号をデジタル化し、対応する「受信」シンボルストリームを提供するために更に処理する。
【００４７】
ＲＸデータプロセッサ１１６０は、それからＮＴ個の「検出」シンボルストリームを提供するため特定の受信処理技術に基づいてＮＲ個の受信機１１５４からＮＲ個の受信シンボルストリームを受信し、処理する。ＲＸデータプロセッサ１１６０は、それからデータストリームのためのトラフィックデータを回復するために各検出シンボルストリームを復調し、デインターリーブし、復号化する。ＲＸデータプロセッサ１１６０による処理は、送信機システム１１１０でＴＸ  ＭＩＭＯプロセッサ１１２０及びＴＸデータプロセッサ１１１４によって実行される処理と相補的である。
【００４８】
プロセッサ１１７０は、周期的に、どのプレコーディングマトリックスを使用するべきかを決定する（後述する）。プロセッサ１１７０は、マトリックスインデックス部及びランク値部から成る逆方向リンクメッセージを編成する。逆方向リンクメッセージは、通信リンク及び／又は受信データストリームに関する様々な形式の情報で構成できる。逆方向リンクメッセージはそれからＴＸデータプロセッサ１１３８によって処理される。このＴＸデータプロセッサはまた、変調器１１８０によって変調され、送信機１１５４ａ〜１１５４ｒによって調整され、送信システム１１１０に返信される、多数のデータストリームのためのトラフィックデータをデータソース１１３６から受信する。パラメータは、資源配分パラメータ、干渉状態パラメータ、信号強さパラメータ、信号品質パラメータ、品質を含む。
【００４９】
送信機システム１１１０では、受信システム１１５０からの変調信号は、受信機システム１１５０によって送信される逆方向リンクメッセージを抽出するためにアンテナ１１２４によって受信され、受信機１１２２によって調整され、復調器１１４０によって復調され、ＲＸデータプロセッサ１１４２によって処理される。プロセッサ１１３０は、それからどのプレコーディングマトリックスがビームフォーミング重みを決定するために使用するかを決定し、それから抽出したメッセージを処理する。
【００５０】
態様においては、論理チャネルは制御チャンネル及びトラフィックチャネルに分類される。論理制御チャネルは、システム制御情報を放送するためのＤＬチャネルである放送制御チャネル（ＢＣＣＨ）、ページング情報を転送するＤＬチャネルであるページング制御チャネル（ＰＣＣＨ）、マルチメディアブロードキャスト及びマルチキャストサービス（ＭＢＭＳ）スケジューリング及び１つ又は数個のＭＴＣＨのための制御情報を送信するために使用されるポイントツーマルチポイント（Point-to-multipoint）ＤＬチャネルであるマルチキャスト制御チャネル（ＭＣＣＨ）を含む。一般的に、ＲＲＣ接続を確立した後は、このチャネルはＭＢＭＳ（注：旧ＭＣＣＨ＋ＭＳＣＨ）を受信するＵＥｓによって使用されるだけである。専用制御チャネル（ＤＣＣＨ）は、専用制御情報を送信するポイントルーポイント双方向チャネル（Point-to-point bi-directional channel）であり、ＲＲＣ接続を有するＵＥｓによって使用される。論理トラフィックチャネルはユーザ情報の転送のために、１つのＵＥに専用される２点間双方向チャネルである専用トラフィックチャネル、また、トラフィックデータ送信するためのポイントツーマルチポイントＤＬチャネルのためのマルチキャストトラフィックチャネル（ＭＴＣＨ）を含む。
【００５１】
輸送チャネルは、ＤＬ及びＵＬに分類される。ＤＬ輸送チャネルは、ブロードキャストチャネル（ＢＣＨ）、ダウンリンク共有データチャネル（ＤＬ−ＳＤＣＨ））及びページングチャネル（ＰＣＨ）を含む。ＵＥ節電（ＤＲＸサイクルが、ＵＥにネットワークによって示される）のサポートのためのＰＣＨはセル全体に放送され、他の制御／トラフィックチャネルのために使用し得るＰＨＹ資源にマップされる。ＵＬ輸送チャネルは、ランダムアクセスチャネル（ＲＡＣＨ）、要求チャネル（ＲＥＱＣＨ）、アップリンク共有データチャネル（ＵＬ−ＳＤＣＨ）と複数のＰＨＹチャネルを含む。ＰＨＹチャネルは、一組のＤＬチャネル及びＵＬチャネルを含む。
【００５２】
ＤＬ  ＰＨＹチャネルは、例えば、共通パイロットチャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、確認チャネル（ＡＣＫＣＨ）、ＤＬ物理共有データチャネル（ＤＬ−ＰＳＤＣＨ）、ＵＬ電力制御チャネル（ＵＰＣＣＨ）、ページングインジケータチャネル（ＰＩＣＨ）及び、負荷インジケータチャネル（ＬＩＣＨ）を含む。
【００５３】
ＵＬ  ＰＨＹは、例えば、物理ランダムアクセスチャネル（ＰＲＡＣＨ）、チャネル品質インジケータチャネル（ＣＱＩＣＨ）、確認チャネル（ＡＣＫＣＨ）、アンテナサブセットインジケータチャネル（ＡＳＩＣＨ）、共有要求チャネル（ＳＲＥＱＣＨ）、ＵＬ物理共有データチャネル（ＵＬ−ＰＳＤＣＨ）及びブロードキャストパイロットチャネル（ＢＰＩＣＨ）を含む。
【００５４】
他の用語／コンポーネントは３Ｇ：３世代、３ＧＰＰ：３世代パートナシッププロジェクト、ＡＣＬＲ：近接チャネル漏洩比率、ＡＣＰＲ：近接チャネル電力比率、ＡＣＳ：近接チャネル選択性、ＡＤＳ：先進設計システム、ＡＭＣ：適応変調及び符号化、Ａ−ＭＰＲ：追加最大電力低減、ＡＲＱ：自動反復要求、ＢＣＣＨ：ブロードキャスト制御チャンネル、ＢＴＳ：基地送受信局、ＣＤＤ：周期的遅延ダイバーシティ、ＣＣＤＦ：相補累積分布関数、ＣＤＭＡ：符号分割多重アクセス、ＣＦＩ：制御フォーマットインジケータ、Ｃｏ−ＭＩＭＯ：協同ＭＩＭＯ、ＣＰ：周期的プレフィックス、ＣＰＩＣＨ：共通パイロットチャネル、ＣＰＲＩ：共通公共無線インタフェース、ＣＱＩ：チャネル品質インジケータ、ＣＲＣ：周期的冗長検査、ＤＣＩ：ダウンリンク制御インジケータ、ＤＦＴ：離散フーリエ変換、ＤＦＴ−ＳＯＦＤＭ：離散フーリエ変換拡張ＯＦＤＭ、ＤＬ：ダウンリンク（加入者送信対する基地局）、ＤＬ−ＳＣＨ：ダウンリンク共有チャネル、Ｄ−ＰＨＹ：５００Ｍｂｐｓ物理層、ＤＳＰ：デジタル信号処理、ＤＴ：開発ツールセット、ＤＶＳＡ：デジタルベクトル信号解析、ＥＤＡ：電子設計自動化、Ｅ−ＤＣＨ：強化専用チャネル、Ｅ−ＵＴＲＡＮ：発展ＵＭＩＴＳ地上無線アクセスネットワーク、ｅＭＢＭＳ：発展マルチメディアブロードキャストマルチキャストサービス、ｅＮＢ：発展ノードＢ、ＥＰＣ：発展パケットコア、ＥＲＲＥ：資源素子当たりのエネルギ、ＥＴＳＩ：欧州電気通信標準化機構、Ｅ−ＵＴＲＡ：発展ＵＴＲＡ，Ｅ−ＵＴＲＡＮ：発展ＵＴＲＡＮ、ＥＶＭ：エラーベクトルの大きさ、及びＦＤＤ：周波数分割二重を含む。
【００５５】
更に、また、他の用語はＦＦＴ：高速フーリエ変換、ＦＲＣ：固定参照チャネル、ＦＳ１：フレーム構造タイプ１、ＦＳ２：フレーム構造タイプ２、ＧＳＭ（登録商標）：グローバルシステムフォーモバイルコミュニケーション、ＨＡＲＱ：複合型自動再送要求、ＨＤＬ：ハードウェア記述言語、ＨＩ  ＨＡＲＱ：ンジケータ、ＨＳＤＰＡ：高速ダウンリンクパケットアクセス、ＨＳＰＡ：高速パケットアクセス、ＨＳＵＰＡ：高速アップリンクパケットアクセス、ＩＦＦＴ：逆ＦＦＴ、ＩＯＴ：インターオペラビリティ試験、ＩＰ：インターネットプロトコル、ＬＯ：局部発振器、ＬＴＥ：ロングタームエボリューション、ＭＡＣ：媒体アクセス制御、ＭＢＭＳ：マルチメディアブロードキャストマルチキャストサービス、ＭＢＳＦＮ：単一周波数ネットワークにわたるマルチキャスト／ブロードキャスト、ＭＣＨ：マルチキャストチャネル、ＭＩＭＯ：多入力多出力、ＭＩＳＯ：多入力単出力、ＭＭＥ：モビリティ管理エンティティ、ＭＯＰ：最大出力電力、ＭＰＲ：最大出力減少、ＭＵ−ＭＩＭＯ：多重ユーザＭＩＭＯ、ＮＡＳ：非アクセス層、ＯＢＳＡＩ：オープン基地局アーチテクチャインタフェース、ＯＦＤＭ：直交周波数分割多重、ＯＦＤＭＡ：直交周波数分割多重アクセス、ＰＡＰＲ：ピーク対平均電力比率、ＰＡＲ：ピーク対平均値比、ＰＢＣＨ：物理ブロードキャストチャネル、Ｐ−ＣＣＰＣＨ：一次共通制御物理チャネル、ＰＣＦＩＣＨ：物理制御フォーマットインジケータチャネル、ＰＣＨ：ページングチャネル、ＰＤＣＣＨ：物理ダウンリンク制御チャンネル、ＰＤＣＰ：パケットデータ収束プロトコル、ＰＤＳＣＨ：物理ダウンリンク共有チャネル、ＰＨＩＣＨ：物理複合型ＡＲＱインジケータチャネル、ＰＨＹ：物理層、ＰＲＡＣＨ：物理ランダムアクセスチャンネル、ＰＭＣＨ：物理マルチキャストチャネル、ＰＭＩ：プレコーディングマトリックスインジケータ、Ｐ−ＳＣＨ：一次同期信号、ＰＵＣＣＨ：物理アップリンク制御チャンネル、ＰＵＳＣＨ：物理アップリンク共有チャネルを含む。
【００５６】
他の条件含むＱＡＭ：直交振幅変調、ＱＰＳＫ：横軸位相偏移変調、ＲＡＣＨ：ランダムアクセスチャネル、ＲＡＴ：無線アクセス技術、ＲＢ：資源ブロック、ＲＦ：無線周波数、ＲＦＤＥ  ＲＦ：設計環境、ＲＬＣ：無線リンク制御、ＲＭＣ：基準測定チャネル、ＲＮＣ：無線ネットワークコントローラ、ＲＲＣ：無線資源制御、ＲＲＭ：無線資源管理、ＲＳ：基準信号、ＲＳＣＰ：受信信号コード電力、ＲＳＲＰ：基準信号受信電力、ＲＳＲＱ：基準信号受信品質、ＲＳＳＩ：受信信号強さインジケータ、ＳＡＥ：システムアーチテクチャ発展、ＳＡＰ：サービスアクセスポイント、ＳＣ−ＦＤＭＡ：単一キャリア周波数分割多重アクセス、ＳＦＢＣ：空間周波数ブロック符号化、Ｓ−ＧＷ：サービスゲートウェイ、ＳＩＭＯ：単入力多出力、ＳＩＳＯ：単入力単出力、ＳＮＲ：信号対雑音比、ＳＲＳ：発音基準信号、Ｓ−ＳＣＨ：二次同期信号、ＳＵ−ＭＩＭＯ：単一ユーザＭＩＭＯ、ＴＤＤ：時間分割二重、ＴＤＭＡ：時分割多重アクセス、ＴＲ：テクニカルレポート、ＴｒＣＨ：輸送チャネル、ＴＳ：技術仕様、ＴＴＡ：電気通信技術連合、ＴＴＩ：送信時間間隔、ＵＣＩ：アップリンク制御インジケータ、ＵＥ：ユーザ装置、ＵＬ：アップリンク（基地局送信への加入者）、ＵＬ−ＳＣＨ：アップリンク共有チャネル、ＵＭＢ：超モバイルブロードバンド、ＵＭＴＳ：汎用モバイル電気通信システム、ＵＴＲＡ：ユニバーサルテレストリアル無線アクセス、ＵＴＲＡＮ：ユニバーサルテレストリアル無線アクセスネットワーク、ＶＳＡ：ベクトル信号アナライザ、Ｗ−ＣＤＭＡ：ワイドバンド符号分割多重。
【００５７】
種々の態様が端末と関連してここに記載されている点に留意される。端末は、システム、ユーザ装置、加入者装置、加入者局、移動局、モバイル機器、遠隔局、遠隔端末、アクセス端末、ユーザ端末、ユーザーエージェント又はユーザ装置と称することもできる。ユーザ装置は、移動電話、コードレス電話、セッション初期化プロトコル（ＳＩＰ）電話、ワイヤレスローカルループ（ＷＬＬ）局、ＰＤＡ、ワイヤレス接続能力を有する携帯装置、端末内のモジュール、ホスト装置（例えばＰＣＭＣＩＡカード）に取り付け又は一体化し得るカード、又はワイヤレスモデムに接続される他の処理装置でありえる。
【００５８】
さらに、請求された要旨の態様は、方法、装置、又は標準プログラミング及び／又はソフトウェア、ファームウェア、ハードウェア若しくはコンピュータを制御するそのいかなる組み合わせを生成するエンジニアリング技法又は請求された要旨の出態様を実施する計算コンポーネントを用いる製品として実施されてもよい。ここに使用されている用語「製品」は任意のコンピュータ可読装置、キャリア又は媒体からアクセスできるコンピュータプログラムを含むことを意図している。例えば、コンピュータ可読媒体は限定されないが磁気記憶装置（例えばハードディスク、フロッピーディスク、磁気ストリップ…）、光ディスク（例えば、コンパクトディスク（ＣＤ）、デジタル多用途ディスク（ＤＶＤ）…）、スマートカード及びフラッシュメモリ装置（例えばカード、スティック、キードライブ…）を含めることができる。更に、キャリアがボイスメールを送受信する際に又はセルラーネットワークのようなネットワークにアクセスする際に使用されるもののようなコンピュータ可読電子データを搬送するために使用できることは言うまでもない。もちろん、当業者は多くの変形がここに記載されたものの範囲又は精神から逸脱しないでこの構成になし得ることを認識するであろう。
【００５９】
本出願において用いられているように、用語「コンポーネント」、「モジュール」、「システム」、「プロトコル」、などは、コンピュータ関連エンティティ、ハードウェア、ハードウェアとソフトウェアの組合せ、ソフトウェア又は実行のソフトウェアに関連することを意図している。例えば、コンポーネントは制限定されないが、プロセッサで実行する処理、プロセッサ、オブジェクト、実行ファイル、実行のスレッド、プログラム及び／又はコンピュータであってもよい。実例として、サーバで実行しているアプリケーション及びサーバは、コンポーネントでありえる。１つ以上のコンポーネントは処理及び／又は実行のスレッド内に存在してもよく、１つのコンポーネントは一台のコンピュータで局所化されてもよく、２台以上のコンピュータ間で分配されてもよい。
【００６０】
上述したものは１つ以上の実施形態の実施例を含む。もちろん、上述した実施形態を記載するためにコンポーネント又は方法のすべての考えられる組合せを記載することが可能でないが、当業者は種々実施形態の多くのさらなる組み合わせ及び従来技術においてその多くの更なる組合せ及び置換が可能であることを認識することができる。したがって、記載されている実施形態は、添付の請求項の精神及び範囲内にあるすべてのそのような交換、変形及び変更を包含することを意図している。さらに、用語「含む」が詳細な説明又は請求項のいずれかに使用される範囲において、そのような用語は「構成する（comprising）」が請求項に暫定語として採用されるときに解釈されるように用語「構成する」と同様な方法で包括的であることを意図している。
【図１】
2015122760.tif 000003
【図２】
2015122760.tif 000004
【図３】
2015122760.tif 000005
【図４】
2015122760.tif 000006
【図５】
2015122760.tif 000007
【図６】
2015122760.tif 000008
【図７】
2015122760.tif 000009
【図８】
2015122760.tif 000010
【図９】
2015122760.tif 000011
【図１０】
2015122760.tif 000012
【図１１】
2015122760.tif 000013
【手続補正書】
【提出日】平成27年2月25日(2015.2.25)
【手続補正１】
【補正対象書類名】特許請求の範囲
【補正対象項目名】全文
【補正方法】変更
【補正の内容】
【特許請求の範囲】
【請求項１】
一組のパケットアクセス信号からの２つ以上のキャリアに独立電力制御を適用すること、
前記一組のパケットアクセス信号に対する電力レベルを決定するため前記２つ以上のキャリアにわたって電力をモニタすること、前記一組のパケットアクセス信号に対する前記電力レベルを考慮して前記独立電力制御のうちの少なくとも１つを自動的に調整すること、
を含む、ワイヤレス通信方法。
【手続補正２】
【補正対象書類名】明細書
【補正対象項目名】００６０
【補正方法】変更
【補正の内容】
【００６０】
上述したものは１つ以上の実施形態の実施例を含む。もちろん、上述した実施形態を記載するためにコンポーネント又は方法のすべての考えられる組合せを記載することが可能でないが、当業者は種々実施形態の多くのさらなる組み合わせ及び従来技術においてその多くの更なる組合せ及び置換が可能であることを認識することができる。したがって、記載されている実施形態は、添付の請求項の精神及び範囲内にあるすべてのそのような交換、変形及び変更を包含することを意図している。さらに、用語「含む」が詳細な説明又は請求項のいずれかに使用される範囲において、そのような用語は「構成する（comprising）」が請求項に暫定語として採用されるときに解釈されるように用語「構成する」と同様な方法で包括的であることを意図している。
以下に本件出願当初の特許請求の範囲に記載された発明を付記する。
［１］  一組のパケットアクセス信号からの２つ以上のキャリアに独立電力制御を適用すること、前記一組のパケットアクセス信号に対する電力レベルを決定するため前記２つ以上のキャリアにわたって電力をモニタすること、前記一組のパケットアクセス信号に対する前記電力レベルを考慮して前記独立電力制御のうちの少なくとも１つを自動的に調整すること、を含む、ワイヤレス通信方法。
［２］  前記独立電力制御は、アップ又はダウン制御として増加的に制御され、但しアップは電力の増加を表し、ダウンは電力の減少を表す、［１］の方法。
［３］  前記２つ以上のキャリアにわたって電力を静的に分割することを更に含む、［１］の方法。
［４］  前記独立電力制御は高速アップリンクパケットアクセスネットワーク（ＨＳＵＰＡ）、高速ダウンリンクパケットアクセスネットワーク（ＨＳＤＰＡ）、強化データチャネル（Ｅ−ＤＣＨ）、強化専用物理データチャネル（Ｅ  ＤＰＤＣＨ）又は、高速専用物理データチャネル（ＨＳ−ＤＰＤＣＨ）に従って適用される、［１］の方法。
［５］  逐次的方法で前記２つ以上のキャリアを順序付けること、前記２つ以上のキャリアの間で電力レベルを逐次制御することを更に含む、［１］の方法。
［６］  逐次的方法で前記２つ以上のキャリアを増減することを更に含む、［５］の方法。
［７］  チャネル品質パラメータ、許可、現在データレート、アンカーキャリアの状態又は非アンカーキャリアの状態を含む優先度に従って前記２つ以上のキャリアを順序付けることを更に含む、［５］の方法。
［８］  前記２つ以上のキャリア間で電力レベルを制御する前にダウンコマンドを適用することを更に含む、［５］の方法。
［９］  アップコマンドを有する前記２つ以上のキャリア間で電力を計算し、配分することを更に含む、［８］の方法。
［１０］  前記優先度に従って前記２つ以上のキャリアに逐次電力を充填することを更に含む、［７］の方法。
［１１］  並列方法で前記２つ以上のキャリアにわたって電力を計算すること、前記２つ以上のキャリアにわたって電力レベルを合同して制御することを更に含む、［１］の方法。
［１２］  並列方法で前記２つ以上のキャリアにわたって前記電力レベルを増減することを更に含む、［１１］の方法。
［１３］  前記２つ以上のキャリア間で電力レベルを制御する前にダウンコマンドを適用することを更に含む、［１１］の方法。
［１４］  アップコマンドを有する前記２つ以上のキャリアの間で電力を計算し、分配することを更に含む、［１１］の方法。
［１５］  最大データレートを計算すること、注水アルゴリズムに従って前記２つ以上のキャリアにわたり電力を分配することを更に含む、［１４］の方法。
［１６］  一組のパケットアクセス信号からの２つ以上のキャリアに独立電力制御を適用し、前記一組のパケットアクセス信号に対する電力レベルを決定するため前記２つ以上のキャリアにわたって電力を決定し、前記一組のパケットアクセス信号に対する前記電力レベルを考慮して前記独立電力制御のうちの少なくとも１つを調整するためのインストラクションを保持するメモリと、前記インストラクションを実行するプロセッサと、を具備する通信装置。
［１７］  逐次的方法で前記２つ以上のキャリアを順序付けること、前記２つ以上のキャリアの間で電力レベルを逐次制御することを更に含む、［１６］の通信装置。
［１８］  逐次的方法で前記２つ以上のキャリアを増減することを更に含む、［１７］の通信装置。
［１９］  チャネル品質パラメータ、許可、現在データレート、アンカーキャリアの状態又は非アンカーキャリアの状態を含む優先度に従って前記２つ以上のキャリアを順序付けることを更に含む、［１７］の通信装置。
［２０］  前記優先度に従って前記２つ以上のキャリアに逐次電力を充填することを更に含む、［１９］の通信装置。
［２１］  並列方法で前記２つ以上のキャリアにわたって電力を計算すること、前記２つ以上のキャリアにわたって電力レベルを合同して制御することを更に含む、［１６］の通信装置。
［２２］  並列方法で前記２つ以上のキャリアにわたって前記電力レベルを増減することを更に含む、［２１］の通信装置。
［２３］  最大データレートを計算すること、注水アルゴリズムに従って前記２つ以上のキャリアにわたり電力を分配することを更に含む、［２２］の通信装置。
［２４］  一組のパケットアクセス信号からの２つ以上のキャリアを制御する手段と、
前記一組のパケットアクセス信号に対する電力レベルを決定する手段と、前記一組のパケットアクセス信号に対する前記電力レベルを考慮して独立方法でキャリア電力を調整する手段と、を具備する通信装置
［２５］  逐次的方法で前記２つ以上のキャリアを順序付けるコンポーネントを更に含み、前記２つ以上のキャリアの間で電力レベルを逐次制御する、［２４］の通信装置。
［２６］  並列方法で前記２つ以上のキャリアにわたって電力を決定するコンポーネントを更に含み、前記２つ以上のキャリアにわたって電力レベルを合同して制御する、［２４］の通信装置。
［２７］  コンピュータに一組のパケットアクセス信号から２つ以上のキャリアに対する電力を制御させるためのコードと、前記一組のパケットアクセス信号に対して電力レベルを決定するために前記２つ以上のキャリアわたりコンピュータに電力をモニタさせるためのコードと、前記一組のパケットアクセス信号に対する電力レベルを考慮して、コンピュータに独立電力制御のうちの少なくとも１つを調整させるためのコードと、を含む、電力を制御制るためのコードを含むコンピュータ可読媒体を具備する、コンピュータプログラム製品。
［２８］  逐次又は並列方法でキャリアのグループに対する電力をコンピュータに増減させるコードを更に含む、［２７］のコンピュータプログラム製品。
【外国語明細書】
2015122760000001.pdf